(57)【要約】【課題】内容物の粘度が高い場合でも、容易に複数種類の内容物を混ぜ合わせて吐出することが可能な混合吐出容器を提供する。【解決手段】本発明の混合吐出容器１は、第１内容物Ａを収容し、減容変形可能なパウチ容器部２１を有するベース部２と、押下げポンプ式の吐出具３１及び第２内容物Ｂを収容可能な収容部３２を有する操作部３と、を備え、ベース部２に対して操作部３を装着することにより、ベース部２に設けた突起部２２ａが収容部３２の底壁部３８を破断し、収容部３２内の第２内容物Ｂがパウチ容器部２１に流入するよう構成されていることを特徴とする。【選択図】図５
2020033061.tif 000002
【特許請求の範囲】
【請求項１】
第１内容物を収容し、減容変形可能なパウチ容器部を有するベース部と、
押下げポンプ式の吐出具及び第２内容物を収容可能な収容部を有する操作部と、を備え、
前記ベース部に対して前記操作部を装着することにより、前記ベース部に設けた突起部が前記収容部の底壁部を破断し、前記収容部内の第２内容物が前記パウチ容器部に流入するよう構成されていることを特徴とする、混合吐出容器。
【請求項２】
前記吐出具は、吐出口を有するノズルヘッドと、前記ノズルヘッドの下方に位置し、前記ノズルヘッドの押し下げ操作により作動するポンプ部と、を有する、請求項１に記載の混合吐出容器。
【請求項３】
前記操作部は、前記ノズルヘッドと前記収容部の間に位置し、前記ポンプ部の周囲を取り囲むように配置された把持筒部を有する、請求項２に記載の混合吐出容器。
【請求項４】
前記ベース部は、前記パウチ容器部の開口部に設けられた筒状の口部を有し、
前記口部の先端部が前記突起部を構成する、請求項１〜３の何れか一項に記載の混合吐出容器。
【請求項５】
前記ベース部は、前記口部の周囲に設けられた被連結筒部を有し、
前記操作部は、前記収容部の下方に位置し、前記被連結筒部に係合する連結筒部を有する、請求項４に記載の混合吐出容器。
【請求項６】
前記底壁部には、薄肉に形成された破断部が設けられている、請求項１〜５の何れか一項に記載の混合吐出容器。
【請求項７】
前記第２内容物は、前記第１内容物よりも粘度が小さい、請求項１〜６の何れか一項に記載の混合吐出容器。
【発明の詳細な説明】
【技術分野】
【０００１】
本発明は、複数の内容物を混合して吐出するための混合吐出容器に関する。
【背景技術】
【０００２】
従来、化粧水にブースター（導入液）を混合して使用する場合や、毛染め用液として２種類の薬剤を混合して使用する場合など、複数種類の液体を混合してから使用するための容器が知られている。
【０００３】
このような容器としては、例えば、第１の内容物が収容された容器本体に、別容器に収容された第２の内容物を注ぎ入れ、押し下げポンプ式の吐出具を備えたキャップを閉めて振ることにより、２種類の内容物を混合する容器が知られている（特許文献１参照）。
【先行技術文献】
【特許文献】
【０００４】
【特許文献１】特開２０１７−１３２５３５号公報
【発明の概要】
【発明が解決しようとする課題】
【０００５】
しかしながら、例えば、混合する２種類の内容物のうち何れか一方の内容物の粘度が高い場合など、上記のように２種類の内容物を１つの空間に収容した容器を振っただけでは、適度に混ざり合わず、所望の混合内容物が得られない虞がある。
【０００６】
それゆえ本発明は、内容物の粘度が高い場合でも、容易に複数種類の内容物を混ぜ合わせて吐出することが可能な混合吐出容器を提供することを目的とする。
【課題を解決するための手段】
【０００７】
本発明は、上記課題を解決するためになされたものであり、本発明の混合吐出容器は、第１内容物を収容し、減容変形可能なパウチ容器部を有するベース部と、
押下げポンプ式の吐出具及び第２内容物を収容可能な収容部を有する操作部と、を備え、
前記ベース部に対して前記操作部を装着することにより、前記ベース部に設けた突起部が前記収容部の底壁部を破断し、前記収容部内の第２内容物が前記パウチ容器部に流入するよう構成されていることを特徴とするものである。
【０００８】
なお、本発明の混合吐出容器にあっては、前記吐出具は、吐出口を有するノズルヘッドと、前記ノズルヘッドの下方に位置し、前記ノズルヘッドの押し下げ操作により作動するポンプ部と、を有することが好ましい。
【０００９】
また、本発明の混合吐出容器にあっては、前記操作部は、前記ノズルヘッドと前記収容部の間に位置し、前記ポンプ部の周囲を取り囲むように配置された把持筒部を有することが好ましい。
【００１０】
また、本発明の混合吐出容器にあっては、前記ベース部は、前記パウチ容器部の開口部に設けられた筒状の口部を有し、
前記口部の先端部が前記突起部を構成することが好ましい。
【００１１】
また、本発明の混合吐出容器にあっては、前記ベース部は、前記口部の周囲に設けられた被連結筒部を有し、
前記操作部は、前記収容部の下方に位置し、前記被連結筒部に係合する連結筒部を有することが好ましい。
【００１２】
また、本発明の混合吐出容器にあっては、前記底壁部には、薄肉に形成された破断部が設けられていることが好ましい。
【００１３】
また、本発明の混合吐出容器にあっては、前記第２内容物は、前記第１内容物よりも粘度が小さいことが好ましい。
【発明の効果】
【００１４】
本発明によれば、内容物の粘度が高い場合でも、容易に複数種類の内容物を混ぜ合わせて吐出することが可能な混合吐出容器を提供することができる。
【図面の簡単な説明】
【００１５】
【図１】本発明の一実施形態に係る混合吐出容器のベース部を断面で示す側面図である。
【図２】本発明の一実施形態に係る混合吐出容器の操作部を一部断面で示す側面図である。
【図３】図１に示すベース部に図２に示す操作部を装着する過程を示す側面図である。
【図４】図３に示す混合吐出容器において、ベース部に操作部を装着する過程で収容部の底壁部が破断する様子を示す側面図である。
【図５】図３に示す混合吐出容器において、ベース部に対する操作部の装着が完了し、ポンプアップした状態を示す側面図である。
【発明を実施するための形態】
【００１６】
以下、図面を参照して、本発明をより具体的に例示説明する。
【００１７】
図１、２はそれぞれ、本発明の一実施形態である混合吐出容器１を構成するベース部２及び操作部３を示している。混合吐出容器１は、図１、２に示すように予め分離されたベース部２と操作部３とを、図３〜５に示すように組み合わせて用いるものである。
【００１８】
ベース部２は、減容変形可能なパウチ容器部２１を有する。パウチ容器部２１は、比較的薄肉の柔軟な合成樹脂材料で構成され、その内部は、第１内容物Ａを収容する第１収容空間Ｓ１となっている。パウチ容器部２１は、外側から把持して圧搾することで容易に弾性変形するよう構成されている。
【００１９】
ベース部２は、パウチ容器部２１の開口部に設けられた筒状の口部２２を有する。本例において、口部２２は、円筒状であり、先端部２２ａが軸線Ｏに対して斜めに切断された形状となっている。すなわち、口部２２の先端部２２ａは先細り形状となっており、当該先端部２２ａが、後述する底壁部３８を破断するための突起部を構成する。また、口部２２の先端部２２ａにおける最も突出した位置（図１における口部２２の上端）に、軸線Ｏに平行な切欠き２３が形成されている。当該切欠き２３は、図４、５に示すようにベース部２に操作部３を装着した状態において、内容物（第１内容物Ａ、第２内容物Ｂ、あるいは第１内容物Ａと第２内容物Ｂとを混ぜ合わせた混合内容物Ｃ）の流路を構成する。
【００２０】
パウチ容器部２１は、口部２２が鉛直方向の上方に位置するような姿勢で自立可能であることが好ましい。つまり、口部２２の逆側に位置するパウチ容器部２１の底部２１ａは、水平な平坦面上に、安定した状態で載置可能な形状となっていることが好ましい。パウチ容器部２１の形状は特に限定されないが、例えば、円柱状、または立方体状等とすることができる。
【００２１】
ベース部２は、口部２２の周囲に設けられた被連結筒部２４を有する。被連結筒部２４の外周面には、雄ねじ部２４ａが設けられている。また、被連結筒部２４の外周側には、外筒部２５が設けられている。本例において、被連結筒部２４と外筒部２５は一体に形成され、口部２２の外周面に嵌合保持されている。また、口部２２を構成する筒状の部材はパウチ容器部２１の開口部に溶着等により固定することができる。
【００２２】
パウチ容器部２１は、内部が視認できるように少なくとも一部が透明もしくは半透明であることが好ましい。これによれば、パウチ容器部２１に収容された第１内容物Ａと第２内容物Ｂの混合の度合いを、外部から色の変化等により確認することができる。また、混合内容物Ｃを吐出する過程においては、その残留量を確認することもできる。
【００２３】
なお、図１に示すように、使用前のベース部２は、被連結筒部２４に係合保持される蓋部２６等によって、口部２２を密閉することができる。これにより、外気との接触による第１内容物Ａの劣化等を抑制することができる。なお、第１収容空間Ｓ１内に外気が入り込まないように口部２２を密閉可能なものであれば、蓋部２６の形状は特に限定されず、例えば、口部２２の開口を覆うように先端部２２ａに貼着されたフィルム状（アルミフィルム等）もしくはシート状の部材としてもよい。
【００２４】
図２に示すように、操作部３は、押下げポンプ式の吐出具３１と、第２内容物Ｂを収容可能な収容部３２とを備える。また操作部３は、収容部３２の下方に位置し、後述する被連結筒部２４に係合する連結筒部３３を有する。
【００２５】
吐出具３１は、吐出口３４ａを有するノズルヘッド３４と、ノズルヘッド３４の下方に位置し、ノズルヘッド３４の押し下げ操作により作動するポンプ部３５とを有する。なお、収容部３２は、ポンプ部３５の下方に位置する。
【００２６】
収容部３２は、第２内容物Ｂを収容可能な第２収容空間Ｓ２を区画形成している。収容部３２は、筒状の側壁部３６と、側壁部３６の上部を覆う天壁部３７と、側壁部３６の下部を閉塞する底壁部３８とを有する。天壁部３７には開口部３７ａが形成されており、ポンプ部３５のシリンダ部３９に連通している。また、底壁部３８には、他の部分よりも薄肉に形成された破断部４０が設けられている。破断部４０は、ベース部２に操作部３を装着する際に、ベース部２の突起部（本例では口部２２の先端部２２ａ）が押し当てられて破断するように構成されている。したがって、本例の破断部４０は、ベース部２の口部２２の形状に対応しており、軸線Ｏの延在方向から見た平面視で円形となるように形成されている。
【００２７】
本例のノズルヘッド３４は、周壁３４ｂと、周壁３４ｂの上部に連なる頂壁３４ｃと、周壁３４ｂの径方向内側で頂壁３４ｃから垂下し、ステム４２に固定保持される保持筒部３４ｄと、周壁３４ｂから前方に突出する筒状のノズル３４ｅとを有する。ノズル３４ｅの先端は吐出口３４ａとなっている。また、ノズル３４ｅはステム４２に連通しており、内容物の流路を構成する。
【００２８】
ポンプ部３５は、収容部３２の上方に設けられている。ポンプ部３５は、天壁部３７から上方に立設する筒状のシリンダ部３９と、シリンダ部３９の内周面に対して摺動可能に当接する環状のピストン４１と、ピストン４１から上方に延びる筒状のステム４２と、を有する。また、シリンダ部３９の下部には、内周面から突出する環状の内側フランジ４３が設けられており、内側フランジ４３の内周縁付近の上面には弁座部４４が設けられている。弁座部４４には、内側フランジ４３の開口を閉塞する下側逆止弁４５が配置されている。
【００２９】
ステム４２の内周面には、内溶液が下方に逆流するのを阻止する上側逆止弁４６（本例ではボール弁）が設けられている。ピストン４１は、付勢部材（本例ではコイルばね）４７によって上方に付勢されており、これにより、押し下げられたノズルヘッド３４が上方に付勢されて元の位置に復帰することとなる。
【００３０】
本例では、シリンダ部３９の上端部に固定されたカバー部材５０が設けられている。カバー部材５０は、図２に示すように、ポンプ部３５側に押し下げた状態のノズルヘッド３４を係合保持するための保持部５１と、保持部５１の下方に延びて、ポンプ部３５におけるシリンダ部３９の周囲を取り囲む把持筒部５２とを有する。把持筒部５２は、ノズルヘッド３４と収容部３２の間に位置する。また本例の把持筒部５２は、ノズルヘッド３４の周壁３４ｂ、収容部３２の側壁部３６、及び連結筒部３３と外径が略同一となっており、図２に示す状態では、操作部３全体が円柱状となるように構成されている。また、把持筒部５２の外周面には、環状の凸リブ５３が、軸方向の２箇所に間隔を開けて設けられている。凸リブ５３により、把持筒部５２を把持する際に滑り難くなる。つまり、混合吐出容器１または操作部３単独で持ち運ぶ際、あるいはノズルヘッド３４の押し下げ操作の際などに、把持筒部５２を把持し易いように構成されている。
【００３１】
また把持筒部５２は、保持部５１に連なる上端から、収容部３２の近傍に位置する下端まで軸線Ｏに沿って直線的に延在している。保持部５１は、把持筒部５２よりも小径の筒状部で構成され、外周面に雄ねじ部５１ａが設けられている。ノズルヘッド３４の周壁３４ｂの内周面には、保持部５１雄ねじ部５１ａに係合可能な雌ねじ部３４ｆが設けられている。
【００３２】
ノズルヘッド３４は、押し下げた状態で保持部５１に螺着することで、図２に示す収納状態とすることができる。これにより、操作部３を小型化することができるので、流通時及び保管時の効率を高めることができる。
【００３３】
連結筒部３３は円筒状であり、底壁部３８から下方に突出している。連結筒部３３の内周面には、被連結筒部２４の雄ねじ部２４ａに係合可能な雌ねじ部３３ａが設けられている。連結筒部３３の径方向内側には、底壁部３８から下方に突出する内側筒部４８が、破断部４０の周囲を取り囲むように設けられている。
【００３４】
本例の操作部３は、ノズルヘッド３４の天面３４ｇを接地させた倒立姿勢で、第２収容空間Ｓ２に第２内容物Ｂを注入し易いように構成されている。具体的に、ノズルヘッド３４は、天面３４ｇの外縁部が略平坦な面を構成するように形成されており、天面３４ｇを接地させた倒立姿勢で自立し易くなっている。また、天面３４ｇの中央部には、ノズルヘッド３４の押し下げ操作の際に指を置き易いように緩やかに湾曲する凹部が形成されていることが好ましい。
【００３５】
また、本例では、収容部３２の底壁部３８が、側壁部３６とは別体で形成されており、第２収容空間Ｓ２への第２内容物Ｂの注入後に、側壁部３６に底壁部３８を装着することができるように構成されている。つまり、操作部３を倒立姿勢とし、底壁部３８を取り付けていない状態で第２収容空間Ｓ２に第２内容物Ｂの注入した後、側壁部３６に底壁部３８を取り付けることで、容易に第２内容物Ｂを第２収容空間Ｓ２に封入することができる。底壁部３８には、側壁部３６の下部外周面に設けた被係合部３６ａに係合する係合筒部３８ａと、側壁部３６の下部内周面に当接するシール筒部３８ｂが設けられている。
【００３６】
以下に、本実施形態の混合吐出容器１の使用方法について説明する。混合吐出容器１は、ベース部２に対して操作部３を装着することにより、ベース部２に設けた突起部（本例では口部２２の先端部２２ａ）が収容部３２の底壁部３８を破断し、収容部３２内（第２収容空間Ｓ２）の第２内容物Ｂがパウチ容器部２１内（第１収容空間Ｓ１）に流入するよう構成されている。
【００３７】
具体的には、先ず、図１に示すベース部２から蓋部２６を取り外して口部２２を開放する。次いで、図３に示すように、ベース部２の口部２２の先端部２２ａを操作部３の内側筒部４８の内側に差し込むようにして、ベース部２の上方に操作部３を配置する。この時、ベース部２の被連結筒部２４の外周側に操作部３の連結筒部３３が配置される。また、操作部３の連結筒部３３の外周側にベース部２の外筒部２５が配置される。
【００３８】
そして、ベース部２に対して操作部３を軸線Ｏ周りで回転させると、被連結筒部２４の雄ねじ部２４ａと連結筒部３３の雌ねじ部３３ａとが螺合して、ベース部２と操作部３が近接していく。その過程で、口部２２の先端部２２ａが底壁部３８に当接して強く押し当てられることにより、破断部４０が破断する。
【００３９】
図４に示すように、破断部４０が破断すると底壁部３８に孔が形成され、収容部３２内の第２内容物Ｂが自重によりパウチ容器部２１内に流入する。この時、口部２２の先端部２２ａが底壁部３８によって塞がれた場合でも、口部２２に切欠き２３が形成されているため、第２内容物Ｂの流路が確保される。このようにして、パウチ容器部２１の第１収容空間Ｓ１に第１内容物Ａと第２内容物Ｂが収容され、混合可能な状態となる。
【００４０】
本実施形態では、パウチ容器部２１が容易に減容変形するため、外側からパウチ容器部２１を繰返し揉むように圧搾することで、第１内容物Ａと第２内容物Ｂを容易に混ぜ合わせることができる。第１内容物Ａと第２内容物Ｂとを混ぜ合わせることで、図５に示すように混合内容物Ｃとなる。
【００４１】
そして、図５に示すように、保持部５１からノズルヘッド３４を螺脱させると、コイルばね４７の付勢力によりノズルヘッド３４が上方に押し上げられて、押し下げ操作可能なポンプアップ状態となる。そして、ノズルヘッド３４を繰返し押し下げることにより、第１収容空間Ｓ内の混合内容物Ｃはポンプ部３５の作用により吸上げられて、口部２２、第２収容空間Ｓ２を通過して、シリンダ部３９及びステム４２の内部を通り、さらにノズル３４ｅを通って、吐出口３４ａから外部に吐出される。混合内容物Ｃの吐出に伴い、パウチ容器部２１は徐々に減容変形していき、混合内容物Ｃが最後まで吐出されると、パウチ容器部２１は完全に潰れた形状となる。
【００４２】
以上のように、本実施形態の混合吐出容器１にあっては、容易に減容変形するパウチ容器部２１内で第１内容物Ａと第２内容物Ｂとを混ぜ合わせる構成としているため、パウチ容器部２１を繰返し揉むことで、第１内容物Ａと第２内容物Ｂを容易に混ぜ合わせることができる。そのため、例えば第１内容物Ａが比較的粘度の大きい液体である場合など、第１内容物Ａと第２内容物Ｂとが相互に混ざり難い液体である場合でも、確実に混合内容物Ｃを得ることができる。また、押下げポンプ式の吐出具３０を採用しているため、混合内容物Ｃの粘度が高い場合でも、ポンプ部３５を動作させることで確実に混合内容物Ｃを吐出させることができる。
【００４３】
また、混合内容物Ｃを吐出し始める際には、パウチ容器部２１を絞り上げることで第１収容空間Ｓ１内に存在する空気を外部に送り出し、ヘッドスペースを縮小することができる。また、混合内容物Ｃが残り少なくなった際には、パウチ容器部２１を絞り上げることで第１収容空間Ｓ１に残留する混合内容物Ｃを絞り出すことができ、残留量を低減することができる。
【００４４】
また、第２内容物Ｂは、第１内容物Ａよりも粘度が小さいことが好ましく、これによれば、第２内容物Ｂが収容部３２からパウチ容器部２１内に流入する際の移動がスムーズとなる。
【００４５】
本発明は前記実施の形態に限定されるものではなく、その要旨を逸脱しない範囲で種々変更可能であることはいうまでもない。例えば、ポンプ部３５は、ノズルヘッド３４の押し下げ操作によりパウチ容器部２１から内容物を吸い上げて吐出口３４ａから吐出させることができるものであればよく、詳細な構造は特に限定されない。また、上述の実施形態では、連結筒部３３と被連結筒部２４とがねじ結合する構成であるが、これに限られず、連結筒部３３及び被連結筒部２４に何れか一方側に設けた凹部に対して他方側に設けた凸部が嵌合する構成としてもよい。その場合、ベース部２に対して操作部３を装着する際には、連結筒部３３と被連結筒部２４の位置を合わせて軸方向に押し込んで装着する。また、上述の実施形態では、底壁部３８と、連結筒部３３と、内側筒部４８とが一体の部材として形成されているが、これに限定されない。
【符号の説明】
【００４６】
１：混合吐出容器
２：ベース部
３：操作部
２１：パウチ容器部
２１ａ：底部
２２：口部
２２ａ：先端部（突起部）
２３：切欠き
２４：被連結筒部
２４ａ：雄ねじ部
２５：外筒部
２６：蓋部
３１：吐出具
３２：収容部
３３：連結筒部
３３ａ：雌ねじ部
３４：ノズルヘッド
３４ａ：吐出口
３４ｂ：周壁
３４ｃ：頂壁
３４ｄ：保持筒部
３４ｅ：ノズル
３４ｆ：雌ねじ部
３４ｇ：天面
３５：ポンプ部
３６：側壁部
３６ａ：被係合部
３７：天壁部
３７ａ：開口部
３８：底壁部
３８ａ：係合筒部
３９：シリンダ部
４０：破断部
４１：ピストン
４２：ステム
４３：内側フランジ
４４：弁座部
４５：下側逆止弁
４６：上側逆止弁
４７：付勢部材（コイルばね）
４８：内側筒部
５０：カバー部材
５１：保持部
５１ａ：雄ねじ部
５２：把持筒部
５３：凸リブ
Ａ：第１内容物
Ｂ：第２内容物
Ｃ：混合内容物
Ｏ：軸線
Ｓ１：第１収容空間
Ｓ２：第２収容空間
【図１】
2020033061.tif 000003
【図２】
2020033061.tif 000004
【図３】
2020033061.tif 000005
【図４】
2020033061.tif 000006
【図５】
2020033061.tif 000007